(57)【要約】【課題】  グリル皿を支持する支持機構ごとグリルケースに着脱することが容易であり、しかも、低コストで提供可能なグリルを提案する。【解決手段】  一対の支持脚１０を有するグリル皿支持体７と、グリル皿支持体７の支持脚１０を前後スライド自在に支持する一対のスライド支持体８と、調理空間３の両側に固定されてスライド支持体８を前後スライド自在に支持する一対のガイド体９とを具備したグリルとする。スライド支持体８は、その主体を成すレール部１４内を仕切り部１１によって内側スペースＳ１と外側スペースＳ２に二分し、内側スペースＳ１にグリル皿支持体７の支持脚１０を嵌入させ、外側スペースＳ２にガイド体９を嵌入させる。【選択図】        図１
2010032165.tif 000002
【特許請求の範囲】
【請求項１】
左右一対の支持脚を後方に延出したグリル皿支持体と、グリル皿支持体の左右の支持脚をそれぞれ所定範囲内で前後スライド自在に支持する左右一対のスライド支持体と、グリルケース内の調理空間の左右両側に固定されるとともに左右のスライド支持体をそれぞれ所定範囲内で前後スライド自在に支持する左右一対のガイド体とを具備し、グリル皿支持体およびスライド支持体を介して、グリルケース内の調理空間からグリル皿をガイド体に沿って前方に引出し自在に設けたグリルであって、前記スライド支持体は、外側方が開口した断面コ字状のレール部と、レール部内を内側スペースおよび外側スペースに二分する仕切り部とを有し、レール部の内側スペースにグリル皿支持体の支持脚を前後スライド自在に嵌入させ、外側スペースにガイド体を前後スライド自在に嵌入させたものであることを特徴とするグリル。
【請求項２】
前記仕切り部は、スライド支持体のレール部の上壁および下壁にその上下両端部を固定させて備えたピン部材であることを特徴とする請求項１に記載のグリル。
【請求項３】
ガイド体内には、凸状の係止部を有する弾性部材を、該係止部が下方に突出するとともに外力によって弾性的に没入するように装着し、スライド支持体のレール部の外側スペースの下壁には、弾性部材の下方に突出した係止部が貫入することでスライド支持体の前方へのスライド量を所定範囲内に規制する被係止溝を開口させていることを特徴とする請求項１又は２に記載のグリル。
【請求項４】
スライド支持体の外側スペースの下壁後端部に、後斜め下方向に傾斜した傾斜壁を設け、スライド支持体の外側スペース内にガイド体を嵌入させるときに、ガイド体内に装着した弾性部材の係止部がスライド支持体の傾斜壁に摺接しながらガイド体内に一旦没入し、ガイド体を外側スペース内に更に嵌入させると弾性部材の係止部が被係止溝に貫入するように設けることを特徴とする請求項３に記載のグリル。
【請求項５】
グリル皿支持体とスライド支持体とを異種金属で形成し、スライド支持体とガイド体とを異種金属で形成することを特徴とする請求項１〜４のいずれか一項に記載のグリル。
【請求項６】
グリル皿支持体をスライド支持体よりも低硬度の金属で形成するとともに、スライド支持体のレール部の内側スペースの上壁内面には、耐磨耗性金属から成る平板状のスペーサを装着し、グリル皿支持体をスライド支持体に対して所定範囲内で最も前方にスライドさせたときに、グリル皿支持体の支持脚の後端よりも前方にスペーサの後端が位置するように設けることを特徴とする請求項５に記載のグリル。
【請求項７】
グリル皿支持体をスライド支持体よりも高硬度の金属で形成するとともに、スライド支持体の内側スペースの下壁内面には、その前端部分を覆うように、耐磨耗性金属から成る平板状のスペーサを装着することを特徴とする請求項５に記載のグリル。
【発明の詳細な説明】
【技術分野】
【０００１】
本発明は、グリル皿を引出し自在に備えたグリルに関する。
【背景技術】
【０００２】
調理用コンロ等に組み込まれるグリルとして、グリルケース内に調理空間を形成し、該調理空間内からグリル皿を前方に引出し自在に設けたものが提供されている。このグリルにおいては、従来、グリル皿を支持する支持機構とグリルケースとの間にボールベアリングを介在させることによって、グリル皿を調理空間内から引出し自在に設けることが行われている（特許文献１参照）。
【０００３】
ところが、上記のようにボールベアリングを介在させてグリル皿を引出し自在に設けた構造の場合、分解時にボールベアリングがばらばらになるおそれがあるため、グリルケースから支持機構ごと取り外すことが困難であった。そのため、メンテナンス面で不便であるという問題があった。また、ボールベアリングを用いることでコスト高を招くという問題があった。
【特許文献１】特開２００４−２６３８９９号公報
【発明の開示】
【発明が解決しようとする課題】
【０００４】
本発明は上記問題点に鑑みて発明したものであって、グリル皿を支持する支持機構ごとグリルケースに着脱することが容易であり、しかも、低コストで提供可能なグリルを提案することを、課題とするものである。
【課題を解決するための手段】
【０００５】
上記課題を解決する本発明のグリルは、左右一対の支持脚１０を後方に延出したグリル皿支持体７と、グリル皿支持体７の左右の支持脚１０をそれぞれ所定範囲内で前後スライド自在に支持する左右一対のスライド支持体８と、グリルケース１内の調理空間３の左右両側に固定されるとともに左右のスライド支持体８をそれぞれ所定範囲内で前後スライド自在に支持する左右一対のガイド体９とを具備し、グリル皿支持体７およびスライド支持体８を介して、グリルケース１内の調理空間３からグリル皿２をガイド体９に沿って前方に引出し自在に設けたグリルである。前記スライド支持体８は、外側方が開口した断面コ字状のレール部１４と、レール部１４内を内側スペースＳ１および外側スペースＳ２に二分する仕切り部１１とを有し、レール部１４の内側スペースＳ１にグリル皿支持体７の支持脚１０を前後スライド自在に嵌入させ、外側スペースＳ２にガイド体９を前後スライド自在に嵌入させたものであることを特徴とする。
【０００６】
上記構成を具備する本発明のグリルにおいては、従来のボールベアリングのような部材を用いることなく、スライド支持体８のレール部１４内にグリル皿支持体７の支持脚１０とガイド体９を嵌入させることによって、グリルケース１の調理空間３内からグリル皿２を前方に引出し自在に設けることができる。したがって、従来のようにボールベアリングがばらばらになるといった心配がなく、グリルケース１からグリル皿支持体７やスライド支持体８ごと取り外すことや、更に装着することも容易である。また、ボールベアリング等を用いることのないシンプルな構成でグリル皿２の引出しを実現するので、低コストで提供可能なグリルとなる。
【０００７】
加えて、グリル皿支持体７の支持脚１０を前後スライド自在に嵌入させる内側スペースＳ１と、ガイド体９を前後スライド自在に嵌入させる外側スペースＳ２とを、スライド支持体８の内側と外側に並設してあることで、グリル皿支持体７側とガイド体９側との位置関係にずれや歪みが生じ難くなっている。そのため、グリル皿２等のグリルケース１に対する相対的な位置関係が、高精度に保持される。
【０００８】
また、本発明のグリルにおいて、前記仕切り部１１は、スライド支持体８のレール部１４の上壁１５および下壁１６にその上下両端部を固定させて備えたピン部材１７であることが好適である。このようにすることで、ピン部材１７がコンパクトな補強材として機能し、スライド支持体８全体の上下方向の撓みを防止することができる。加えて、グリル皿支持体７の支持脚１０やガイド体９が、スライド支持体８内にてピン部材１７の外周面に摺接することで、スライド動作の円滑性を確保することができる。
【０００９】
また、本発明のグリルにおいて、ガイド体９内には、凸状の係止部３１を有する弾性部材２８を、該係止部３１が下方に突出するとともに外力によって弾性的に没入するように装着し、スライド支持体８のレール部１４の外側スペースＳ２の下壁１６には、弾性部材２８の下方に突出した係止部３１が貫入することでスライド支持体８の前方へのスライド量を所定範囲内に規制する被係止溝２１を開口させていることが好適である。このようにすることで、工具等を用いて係止部３１を弾性的に押し込んでガイド体９内に没入させておけば、そのままスライド支持体８を前方にスライドさせるだけで該スライド支持体８をガイド体９から取り外すことができ、メンテナンス時の取り外しが容易となる。また、メンテナンス時以外にはスライド支持体８が不用意に外れることがなく、安全性は確保される。
【００１０】
このとき、スライド支持体８の外側スペースＳ２の下壁１６後端部に、後斜め下方向に傾斜した傾斜壁２３を設け、スライド支持体８の外側スペースＳ２内にガイド体９を嵌入させるときに、ガイド体９内に装着した弾性部材２８の係止部３１がスライド支持体８の傾斜壁２３に摺接しながらガイド体９内に一旦没入し、ガイド体９を外側スペースＳ２内に更に嵌入させると弾性部材２８の係止部３１が被係止溝２１に貫入するように設けることが、更に好適である。このようにすることで、メンテナンスを完了した後等に、スライド支持体８をガイド体９に連結させるに際しては、弾性部材２８を操作する必要なくスライド支持体８を押し込んでガイド体９を嵌入させるだけで、簡単に連結作業を行うことができる。
【００１１】
また、本発明のグリルにおいては、グリル皿支持体７とスライド支持体８とを異種金属で形成し、スライド支持体８とガイド体９とを異種金属で形成することも好適である。このようにすることで、グリル皿支持体７とスライド支持体８の摺動面と、スライド支持体８とガイド体９の摺動面のいずれにおいても、いわゆるカジリが生じることを防止し、滑らかな引出し操作を実現することができる。
【００１２】
そして、グリル皿支持体７をスライド支持体８よりも低硬度の金属で形成した場合には、スライド支持体８のレール部１４の内側スペースＳ１の上壁１５内面には、耐磨耗性金属から成る平板状のスペーサ３５を装着し、グリル皿支持体７をスライド支持体８に対して所定範囲内で最も前方にスライドさせたときに、グリル皿支持体７の支持脚１０の後端よりも前方にスペーサ３５の後端が位置するように設けることが好適である。このようにすることで、グリル皿２等の荷重が前側にかかる支持脚１０の上面は、スペーサ３５に対して常に面接触しながら摺動することとなり、低硬度側である支持脚１０の一部分だけが早く磨耗してしまうことが防止される。なお、低硬度側である支持脚１０の下面はレール部１４の前端部に摺接するが、ここでの摺接はグリル皿支持体７の前後スライドの範囲内において広く行われるため、支持脚１０の一部分だけが早く磨耗することはない。
【００１３】
また、グリル皿支持体７をスライド支持体８よりも高硬度の金属で形成した場合には、スライド支持体８の内側スペースＳ１の下壁１６内面には、その前端部分を覆うように、耐磨耗性金属から成る平板状のスペーサ３５を装着することが好適である。このようにすることで、グリル皿２等の荷重が前側にかかる支持脚１０の下面は、常にスペーサ３５に対して面接触しながら摺動することとなり、低硬度側であるレール部１４の一部分だけを早く磨耗させることが防止される。なお、低硬度側であるレール部１４の上部には支持脚１０の後端部が摺接するが、ここでの摺接はグリル皿支持体７の前後スライドの範囲内において広く行われるため、レール部１４の一部分だけが早く磨耗することはない。
【発明の効果】
【００１４】
本発明のグリルは、グリル皿を支持する支持機構ごとグリルケースに着脱することが容易であり、しかも、低コストで提供可能なものになるという効果を奏する。
【発明を実施するための最良の形態】
【００１５】
本発明を添付図面に示す実施形態に基づいて説明する。図１１、図１２には、本発明の実施形態における一例のグリルの全体を示している。本文中においては、グリル皿２を引き出す方向を前方として説明する。
【００１６】
本例のグリルは、調理用コンロ５０の下部に組み込まれたものであり、グリルケース１内に形成した調理空間３内にグリル皿２を収納自在としている。調理空間３は、グリルケース１の前面開口と連通し、この前面開口を通じてグリル皿２が前方に引出し自在となっている（図１２参照）。グリル皿２の前方にはグリル扉４を設けており、グリル皿２を調理空間３内に収納した際には、グリル扉４がグリルケース１の前面開口を密閉する（図１１参照）。調理空間３の後部は、調理用コンロ５０の天板５１に設けた排気口５２と連通させている。なお、図１２においては、図１１には記載してある天板５１や、調理用コンロ５０の使用に際して各種設定を行う操作パネル５等の記載を省略している。
【００１７】
グリルケース１内には、調理空間３内を加熱するための各種バーナ（図示せず）を設置している。したがって、グリル皿２の上方に配置した焼き網４５に魚等の食材を配置したうえで、該グリル皿２を調理空間３内に収納し、バーナにより加熱を行えば、グリル扉４により前面開口が密閉された調理空間３内において焼き網４５上の食材が加熱調理される。
【００１８】
以上、本発明のグリルの基本的な構成について述べた。以下においては、本発明の特徴的な構成として、グリル皿２を調理空間３内に引出し自在に収納するための構成について詳述する。
【００１９】
グリル皿２を支持するための構造は、図１〜図３に示すようなものであって、グリル皿２を支持するための枠状を成すグリル皿支持体７と、グリル皿支持体７を所定範囲内で前後スライド自在に支持する左右一対のスライド支持体８と、左右のスライド支持体８をそれぞれ前後スライド自在に支持する左右一対のガイド体９とで、主体を成している。
【００２０】
グリル皿支持体７は、左右方向に伸びる支持棒６の左右両端のそれぞれから支持脚１０を後方に延設して成る、平面視コ字状の部材である。支持棒６には平板状の扉枠１２を固定し、この扉枠１２に対してグリル扉４を装着する構造である。また、この扉枠１２には、平面視矩形状を成すグリル皿載置枠１３の前端部を、引掛け係止させて備える。グリル皿載置枠１３は、グリル皿２を着脱自在に載置するためのものであって、扉枠１２に係止することで、グリル皿支持体７と一体に前後スライドするように設けている。
【００２１】
なお、図１〜図３には、グリル皿支持体７に対して扉枠１２を固定することなく、グリル皿載置枠１３を設置した状態を示している。図６〜図８には、グリル皿支持体７に対して扉枠１２を固定し、グリル皿載置枠１３は取り外した状態を示している。
【００２２】
スライド支持体８は、グリル皿支持体７と一体に組み合わせることにより、前後方向に伸縮自在な支持機構３４を形成するものである（図６、図７参照）。左右のスライド支持体８は共に、外側方を開口させることで断面コ字状に形成したレール部１４と、レール部１４の内部スペースを内側スペースＳ１および外側スペースＳ２に二分割するように該レール部１４内に固着される仕切り部１１とから成る（図４参照）。本例における前記仕切り部１１は、断面コ字状であるレール部１４の上壁１５および下壁１６に、その上下両端部をかしめ固定させて備えた円柱状のピン部材１７である。ピン部材１７は前後方向に所定隙間を隔てて複数本固定しており、これら複数本のピン部材１７を介して、レール部１４内に内側スペースＳ１と外側スペースＳ２を左右方向に並設する構造である。
【００２３】
レール部１４内の内側スペースＳ１は、グリル皿支持体７の支持脚１０をその前端開口から前後スライド自在に嵌入させるためのスペースである。内側スペースＳ１の内側壁には、前後方向を長尺方向とする長孔状のスリット１８が設けてある。支持脚１０にはスライドピン１９を内側方に突設しており、このスライドピン１９をこのスリット１８に嵌入させることで、グリル皿支持体７は左右のスライド支持体８に対して前後スライド自在となっている。グリル皿支持体７の前後スライド範囲は、スリット１８内をスライドピン１９が前後スライド移動する範囲である。左右のスライド支持体８は、連結板２０を介して互いの後端部を連結固定させて用いる。
【００２４】
レール部１４内の外側スペースＳ２は、調理空間３の左右両側に固定したガイド体９をその後端開口から前後スライド自在に嵌入させるためのスペースである。外側スペースＳ２の下壁１６には、その前側半部を切り欠くことによって、被係止溝２１を開口させてある。更に、外側スペースＳ２の下壁１６の被係止溝２１よりも後方の後側半部によって規制壁２２を形成し、この規制壁２２の後端からは、後斜め下方向に向けて傾斜壁２３を延設している。これら外側スペースＳ２の下壁１６に設けた被係止溝２１、規制壁２２、傾斜壁２３等は、スライド支持体８をガイド体９に対して着脱自在に装着するための構成であるが、詳しい機能については後述する。
【００２５】
ガイド体９は、調理空間３の左右の下角部に固定される左右一対の部材であり（図１〜図３参照）、この左右のガイド体９によって、左右のスライド支持体８をそれぞれ所定範囲内で前後スライド自在に支持するようになっている。ガイド体９は、外側方を開口させた中空角柱状の主ガイド部２４と、主ガイド部２４の下壁の先端縁から下方に延設される垂下片２５と、垂下片２５の下端縁から内側方に延設される固定片２６とから成る。ガイド体９を調理空間３に固定するに際しては、調理空間３の下角部の下壁に固定片２６を当て、下角部の側壁に垂下片２５および主ガイド部２４の開口側を当てた状態で、固定片２６を調理空間３の下壁に固定する。更に、複数のネジ具２７を用いて、主ガイド部２４の開口側を調理空間３の側壁に固定させる。
【００２６】
ガイド体９の主体を成す中空の主ガイド部２４には、その前端部分の内側スペースに、弾性部材２８を挿入固定している。弾性部材２８は、図５にも示すような側面視く字状の板バネ部材であり、主ガイド部２４の下壁に載置される下バネ片２９と、下バネ片２９の後端から前斜め上方に延設される上バネ片３０と、下バネ片２９の前端から下方に延設される凸状の係止部３１とから成る。下バネ片２９は、その前後方向中央部が高くなるように僅かに屈折させてある。主ガイド部２４の下壁には貫通孔３２を形成しており、弾性部材２８を固定した状態において、この貫通孔３２を通じて弾性部材２８の係止部３１が主ガイド部２４から下方に突出する。下バネ片２９は十分な可撓性を有し、主ガイド部２４の下壁から突出した係止部３１に対して下方から一定以上の外力を加えると、下バネ片２９が撓んで係止部３１を貫通孔３２内に弾性的に没入させるように設けている。
【００２７】
上記構成から成る本例のグリルにおいて、グリル皿支持体７とスライド支持体８を組み合わせて成る伸縮自在な支持機構３４をガイド体９に組み込むには、まず、図１や図２に示すように、左右一対のスライド支持体８の後端を、左右一対のガイド体９の前端とそれぞれ対向する位置にセットする。そして、スライド支持体８をそれぞれガイド体９側に（図中矢印Ａ方向に）押し込み、スライド支持体８のレール部１４に設けた外側スペースＳ２の後端開口に、ガイド体９の主ガイド部２４の前端部分を挿入してゆく。すると、主ガイド部２４から下方に突出した係止部３１に対して、レール部１４の外側スペースＳ２の下壁１６に設けた傾斜壁２３が押し当たるが、レール部１４をそのまま後方にスライドさせていくことで、係止部３１は傾斜壁２３に押し上げられて貫通孔３２内に没入し、傾斜壁２３および規制壁２２を乗り越えたうえで、弾性的な復元力によって前方の被係止溝２１内に貫入する。
【００２８】
この状態において、グリル皿支持体７とスライド支持体８を組み合わせた支持機構３４が更にガイド体９と組み合わされる。スライド支持体８は、係止部３１が被係止溝２１に貫入する前後方向の所定範囲内において、ガイド体９に対して前後スライド自在となる。
【００２９】
したがって、グリル皿支持体７は、ガイド体９に対してスライド支持体８がスライド自在となる前後距離と、このスライド支持体８に対してグリル皿支持体７がスライド自在となる前後距離とを合わせた分の距離だけ、ガイド体９つまり調理空間３から前方にスライド自在となる。グリル皿支持体７を最大限前方にスライドさせたとき、グリル皿支持体７に載置したグリル皿２はその全体が外部に露出する。グリル皿支持体７を最大限後方にスライドさせたときには、グリル皿支持体７に載置したグリル皿２はその全体が調理空間３内に収容され、且つ、グリル扉４が調理空間３の前端開口を密閉する。
【００３０】
更に、上記構成から成る本例のグリルにおいては、メンテナンスに際して、グリル皿支持体７とスライド支持体８を組み合わせて成る伸縮自在な支持機構３４をガイド体９から取り外すことも容易である。ガイド体９下部の固定片２６には、弾性部材２８の係止部３１と対向する位置に操作窓３３を開口させているので（図１参照）、取り外すに際してはこの操作窓３３に下方からドライバ等の工具を挿入し、工具先端を係止部３１の先端に押し当てて貫通孔３２内に没入させる。この没入状態のまま、スライド支持体８を前方に（図中矢印Ａの反対方向に）スライドさせると、グリル皿支持体７とスライド支持体８から成る支持機構３４がガイド体９から取り外される。
【００３１】
つまり、本発明のグリルによれば、従来のボールベアリングのような部材を用いることなく、スライド支持体８のレール部１４内にグリル皿支持体７およびガイド体９を前後スライド自在に嵌入させることによって、グリル皿２をガイド体９に沿って引出し自在に設けることができる。したがって、グリル皿支持体７やスライド支持体８をグリルケース１から取り外すことや装着することが容易であり、また、低コストで提供可能となる。
【００３２】
そして、グリル皿支持体７の支持脚１０を前後スライド自在に嵌入させる内側スペースＳ１と、ガイド体９の主ガイド部２４を前後スライド自在に嵌入させる外側スペースＳ２とを、一部材（スライド支持体８）の内部空間の内側および外側に並設してあるため、グリル皿支持体７側とガイド体９側との位置関係にずれや歪みが生じ難くなっている。そのため、グリル皿２や焼き網４５のグリルケース１に対する相対的な位置関係が、高精度に保持される結果となる。
【００３３】
また、スライド支持体８のレール部１４内を仕切るための仕切り部１１として、複数のピン部材１７を上下にかしめ固定してあることで、このピン部材１７がコンパクトな補強材として機能し、スライド支持体８全体の上下方向の撓みが防止されている。加えて、グリル皿支持体７の支持脚１０やガイド体９の主ガイド部２４が、レール部１４内を仕切る円柱状のピン部材１７の外周面に摺接することにより、支持機構３４全体の滑らかなスライド動作が確保されている。
【００３４】
また、上記したように、ガイド体９内には、係止部３１が下方に突出するとともに外力によって弾性的に没入するように弾性部材２８を装着しており、スライド支持体８のレール部１４の外側スペースＳ２の下壁１６に、弾性部材２８の係止部３１が貫入する被係止溝２１を開口させることで、スライド支持体８の前方へのスライド量を所定範囲内に規制している。したがって、係止部３１を弾性的に押し込んでガイド体９内に没入させれば、そのままスライド支持体８を前方に引き抜くことができ、メンテナンス時には取り外しが容易であるとともに、メンテナンス時以外にはスライド支持体８が不用意に外れることがなく、安全性は確保される。
【００３５】
更に、上記したように、スライド支持体８の外側スペースＳ２の下壁１６後端部には、後斜め下方向に傾斜した傾斜壁２３を設けている。したがって、スライド支持体８の外側スペースＳ２内にガイド体９を嵌入させるときには、ガイド体９内に装着した弾性部材２８の係止部３１が傾斜壁２３に摺接しながらガイド体９内に一旦没入する。そして、スライド支持体８を押し込んでガイド体９を外側スペースＳ２内に更に嵌入させると、弾性部材２８の係止部３１が規制壁２２を乗り越えたうえで前方の被係止溝２１に貫入するようになっている。つまり、メンテナンス完了後に、スライド支持体８をガイド体９に連結させるに際しては、弾性部材２８を操作する必要なくスライド支持体８を押し込むだけで、簡単に連結作業を行うことができる。
【００３６】
以下、本発明のグリルにおける更に特徴的な構成として、グリル皿２の円滑な引出し操作を実現するための構成について詳述する。
【００３７】
本発明では、グリル皿２を調理空間３から前方に引出し自在に支持するために連結させるグリル皿支持体７、スライド支持体８、ガイド体９の３種の部材を形成する金属を、少なくとも摺接する部材同士は異種金属となるように設けている。つまり、グリル皿支持体７とこれに摺接するスライド支持体８とを異種金属で形成し、更に、スライド支持体８とこれに摺接するガイド体９についても、異種金属で形成している。
【００３８】
材質として具体的には、例えば、グリル皿支持体７とガイド体９については同種金属であるメッキ鋼で形成し、グリル皿支持体７とガイド体９の間に介在するスライド支持体８については、メッキ鋼に対して異種金属となるステンレスで形成する。このように、摺動する部材同士を異種金属で形成することにより、摺動面においていわゆるカジリが生じることを防止し、滑らかな引出し操作を実現することができる。
【００３９】
ところで、このようにグリル皿支持体７とスライド支持体８を異種金属で形成した場合には、低硬度側の金属において（本例ではメッキ鋼から成るグリル皿支持体７の支持脚１０において）摺接部分が一箇所に集中すると、その一部分だけが早く磨耗してしまうという問題がある。そこで、図８に示す例では、スライド支持体８のレール部１４の前端部分において、内側スペースＳ１の上壁１５内面に、耐磨耗性金属から成る平板状のスペーサ３５を装着させている。
【００４０】
このスペーサ３５は前後方向に長尺であるとともに、その前端および後端から上方に向けて突片３６，３７を延設した形状である。レール部１４の内側スペースＳ１の上壁１５には挿通孔３８を一つ設けており、この挿通孔３８に対して後側の突片３７を挿通して係止させるとともに、レール部１４の上壁１５の前端縁に前側の突片３６を当てて係止させる。ここで、平板状のスペーサ３５を挟むように内側スペースＳ１内に支持脚１０を挿入することで、スペーサ３５は内側スペースＳ１の上壁１５と支持脚１０の上面との間に挿入された状態となる。
【００４１】
図９には、支持脚１０を最も前方にスライドさせた場合を示している。図示のように、スペーサ３５の前後方向の寸法は、グリル皿支持体７をスライド支持体８に対して所定範囲内で最も前方にスライドさせたときであっても、グリル皿支持体７の支持脚１０の後端よりも前方にスペーサ３５の後端が位置するように設けている。したがって、グリル皿２等の荷重が前側にかかる支持脚１０の上面は、スペーサ３５に対して常に面接触しながら摺動することとなり、低硬度側である支持脚１０の一部分だけが早く磨耗してしまうことが防止される。
【００４２】
これに対して、仮にスペーサ３５を挿入していない場合には、グリル皿２等の荷重によって、支持脚１０の後端の上角部３９が前後スライドの際にレール部１４に対して常に線接触しながら摺動することとなる。したがって、低硬度側である支持脚１０の上角部３９だけが早く磨耗してしまうことになる。
【００４３】
なお、グリル皿支持体７が前後スライドする際に、支持脚１０の下面側に対しては、レール部１４の下壁１６前端の上角部４０が摺接することになる。しかし、低硬度側である支持脚１０の下面は前後スライドの範囲内においてレール部１４前端の上角部４０に摺接するので、一部分だけが早く磨耗することはない。一方、レール部１４においては、前後スライドの際に下壁１６前端の上角部４０が支持脚１０に対して常に線接触するが、高硬度側であるためにこの上角部４０だけが早く磨耗することはない。
【００４４】
ところで、上記材質とは逆に、グリル皿支持体７をスライド支持体８よりも高硬度の金属で形成している場合には、図１０に示すようにスペーサ３５を配置することが好適である。この場合のスペーサ３５の配置は図８、図９に示した配置とは上下逆であり、平板状のスペーサ３５によって、スライド支持体８の内側スペースＳ１の下壁１６内面の前端部分を覆うように設けている。
【００４５】
ここで、内側スペースＳ１内に支持脚１０を挿入すると、スペーサ３５は内側スペースＳ１の下壁１６と支持脚１０の下面との間に挿入された状態となる。したがって、グリル皿２等の荷重が前側にかかる支持脚１０の下面は、常にスペーサ３５に対して摺動することとなり、低硬度側であるレール部１４の一部分だけを早く磨耗させることが防止される。
【００４６】
これに対して、仮にスペーサ３５を挿入していない場合には、レール部１４の下壁１６前端の上角部４０が、支持脚１０の下面に対して常に線接触しながら摺動することとなる。したがって、低硬度側であるレール部１４の下壁１６前端の上角部４０だけを早く磨耗させることになる。
【００４７】
なお、グリル皿支持体７が前後スライドする際に、レール部１４の上壁１５内面に対しては、支持脚１０の後端の上角部３９が摺接することになる。しかし、低硬度側であるレール部１４の上壁１５下面は前後スライドの範囲内において支持脚１０の上角部３９に摺接するので、一部分だけが早く磨耗することはない。一方、支持脚１０においては、前後スライドの際に後端の上角部３９がレール部１４に対して常に線接触するが、高硬度側であるためにこの上角部３９だけが早く磨耗することはない。
【００４８】
上記のように、スペーサ３５をスライド支持体８の適宜箇所に配置しておけば、グリル皿支持体７とスライド支持体８とで硬度に差を設けた場合であっても、低硬度側の一箇所が集中して磨耗することは防止される。即ち、低硬度側の磨耗によりがたつき等が生じることを防止しながら、グリル皿支持体７とスライド支持体８を異種金属で形成して円滑な引出し操作を実現することができる。
【図面の簡単な説明】
【００４９】
【図１】本発明の実施形態における一例のグリル皿支持構造を一部分解した斜視図である。
【図２】同上の側面図である。
【図３】同上の組立状態の側面図である。
【図４】同上の断面図である。
【図５】同上のガイド体に装着する弾性部材の側面図である。
【図６】同上のグリル皿支持構造を成すグリル皿支持体とスライド支持体の斜視図である。
【図７】同上の側面図である。
【図８】同上のスライド支持体にスペーサを配置した場合を示す斜視図である。
【図９】同上のスペーサの配置を示す断面図である。
【図１０】同上のスペーサの別の配置を示す断面図である。
【図１１】同上のグリルにおいてグリル皿を収納した状態を示す全体斜視図である。
【図１２】同上のグリルにおいてグリル皿を引出した状態を示す全体斜視図である。
【符号の説明】
【００５０】
１  グリルケース
２  グリル皿
３  調理空間
７  グリル皿支持体
８  スライド支持体
９  ガイド体
１０  支持脚
１１  仕切り部
１４  レール部
１５  上壁
１６  下壁
１７  ピン部材
２１  被係止溝
２３  傾斜壁
２８  弾性部材
３１  係止部
３５  スペーサ
Ｓ１  内側スペース
Ｓ２  外側スペース
【図１】
2010032165.tif 000003
【図２】
2010032165.tif 000004
【図３】
2010032165.tif 000005
【図４】
2010032165.tif 000006
【図５】
2010032165.tif 000007
【図６】
2010032165.tif 000008
【図７】
2010032165.tif 000009
【図８】
2010032165.tif 000010
【図９】
2010032165.tif 000011
【図１０】
2010032165.tif 000012
【図１１】
2010032165.tif 000013
【図１２】
2010032165.tif 000014